(57)【要約】      （修正有）【課題】プラズマを用いる成膜又はエッチング時に、電源部側の絶縁体の変形を抑制する処理装置の提供。【解決手段】処理装置は、ワークが配置され成膜又はエッチングが行われる処理室と、ワークを保持する導電性の保持部に電気的に接続されたワーク側導電体５０と、処理室内に少なくとも一部が設けられ電力が印加される電源部側導電体３０と、処理室内において電源部側導電体を覆い、処理室内の電源部側導電体とワーク側導電体とが接続される箇所に開口部を有する電源部側絶縁体４０と、処理室内において電源部側絶縁体の少なくとも一部を覆い、開口部に対応する箇所が開口した金属製のカバー体１１０と、を備え、電源部側絶縁体は、ワークと向かい合う第１部位４３と、ワークから離れる方向に延びる第２部位４４と、を有し、カバー体は、少なくとも第１部位４３との間に隙間を設けつつ第１部位を覆うとともに、第２部位において電源部側絶縁体と接触する。【選択図】図２
2018048365.tif 000002
【特許請求の範囲】
【請求項１】
プラズマを用いて導電性のワークに成膜又はエッチングを行う処理装置であって、
前記ワークが配置され前記成膜又は前記エッチングが行われる処理室と、
前記ワークを保持する導電性の保持部に電気的に接続されたワーク側導電体と、
前記処理室内に少なくとも一部が設けられ電力が印加される電源部側導電体と、
前記処理室内において前記電源部側導電体を覆い、前記処理室内の前記電源部側導電体と前記ワーク側導電体とが接続される箇所に開口部を有する電源部側絶縁体と、
前記処理室内において前記電源部側絶縁体の少なくとも一部を覆い、前記開口部に対応する箇所が開口した金属製のカバー体と、を備え、
前記電源部側絶縁体は、前記ワークと向かい合う第１部位と、前記ワークから離れる方向に延びる第２部位と、を有し、
前記カバー体は、少なくとも前記第１部位との間に隙間を設けつつ前記第１部位を覆うとともに、前記第２部位において前記電源部側絶縁体と接触する、
処理装置。
【発明の詳細な説明】
【技術分野】
【０００１】
本発明は、処理装置に関する。
【背景技術】
【０００２】
プラズマを用いて処理室内のワークに成膜を行う装置として、処理室内で、ワークに電気的に接続されたワーク側の導電体に電源部側の導電体を介して電力を印加することによって、ワークに成膜を行う装置が知られている（例えば、特許文献１）。
【先行技術文献】
【特許文献】
【０００３】
【特許文献１】特開２０１５−１９９９９１号公報
【発明の概要】
【発明が解決しようとする課題】
【０００４】
特許文献１記載の装置では、ワーク側の導電体と電源部側の導電体とを接続する箇所は、絶縁体によって覆われている。しかし、これらの導電体を介して処理室内のワークに電力が印加されると、処理室内ではワークに対して放射状にプラズマが発生するとともにワークから輻射熱が発生するため、導電体の周囲を覆う絶縁体が蓄熱して変形するおそれがあった。なお、同様の構成を備える装置においてエッチングを行う場合にも、このような問題が生じるおそれがあった。そのためプラズマを用いてワークに成膜又はエッチングを行う処理装置において、導電体を覆う絶縁体の変形を抑制可能な技術が望まれていた。
【課題を解決するための手段】
【０００５】
本発明は、上述の課題を解決するためになされたものであり、以下の形態として実現することが可能である。
【０００６】
本発明の一形態によれば、プラズマを用いて導電性のワークに成膜又はエッチングを行う処理装置が提供される。この処理装置は；前記ワークが配置され前記成膜又は前記エッチングが行われる処理室と；前記ワークを保持する導電性の保持部に電気的に接続されたワーク側導電体と；前記処理室内に少なくとも一部が設けられ電力が印加される電源部側導電体と：前記処理室内において前記電源部側導電体を覆い、前記処理室内の前記電源部側導電体と前記ワーク側導電体とが接続される箇所に開口部を有する電源部側絶縁体と；前記処理室内において前記電源部側絶縁体の少なくとも一部を覆い、前記開口部に対応する箇所が開口した金属製のカバー体と、を備え；前記電源部側絶縁体は、前記ワークと向かい合う第１部位と、前記ワークから離れる方向に延びる第２部位と、を有し；前記カバー体は、少なくとも前記第１部位との間に隙間を設けつつ前記第１部位を覆うとともに、前記第２部位において前記電源部側絶縁体と接触する。このような処理装置であれば、カバー体は、電源部側絶縁体のワークと向かい合う第１部位との間に隙間を設けつつ電源部側絶縁体を覆うので、成膜又はエッチング時に第１部位の温度が上昇することを抑制することができるとともに、ワークから離れる方向に延びる第２部位において電源部側絶縁体と接触するので、成膜又はエッチング時に上記接触する箇所の温度が上昇することを抑制することができ、電源部側絶縁体の温度が上昇することを抑制することができる。また、カバー体は金属製であるため、成膜又はエッチング後に電源部側絶縁体に蓄積された熱を接触箇所を介してカバー体から放出することができる。その結果、電源部側絶縁体の蓄熱が抑制されるので、電源部側絶縁体が変形することを抑制することができる。
【０００７】
本発明は、上述した処理装置以外の種々の形態で実現することも可能である。例えば、導電性のワークに成膜又はエッチングを行う処理方法等の形態で実現することができる。
【図面の簡単な説明】
【０００８】
【図１】本発明の一実施形態における処理装置の構成を示す概略構成図。
【図２】処理装置の部分拡大断面図。
【図３】ワーク側導電体と電源部側導電体とが接続された状態を示す部分拡大断面図。
【図４】比較例の処理装置を示す図。
【発明を実施するための形態】
【０００９】
Ａ．実施形態：
図１は、本発明の一実施形態における処理装置１００の構成を示す概略構成図である。図１には、互いに直交するＸＹＺ軸が図示されている。Ｘ方向の正方向を＋Ｘ方向、負方向を−Ｘ方向とし、Ｙ方向の正方向を＋Ｙ方向、負方向を−Ｙ方向とし、Ｚ方向の正方向を＋Ｚ方向、負方向を−Ｚ方向とする。本実施形態では、Ｙ方向は鉛直方向を示し、＋Ｙ方向は鉛直方向上方であり、−Ｙ方向は鉛直方向下方である。また、本実施形態では、Ｘ方向及びＺ方向は水平方向を示す。このことは、以降の図においても同様である。
【００１０】
処理装置１００は、プラズマを用いて導電性のワークＷに成膜又はエッチングを行う装置である。処理装置１００は、いわゆるプラズマＣＶＤ（Chemical Vapor Deposition）法によって、ワークＷに薄膜を形成する。本実施形態では、ワークＷは、燃料電池のセパレータの基材として用いられる板状の金属板である。処理装置１００は、ワークＷの表面に、例えば導電性の炭素系薄膜を形成する。
【００１１】
処理装置１００は、処理室１０と、ワーク側導電体５０と、電源部側導電体３０と、電源部側絶縁体４０と、カバー体１１０と、を備える。本実施形態では、処理装置１００は、さらに、ワーク側導電体５０及びワーク側絶縁体６０を含む搬送部８０と、電源部２０と、ガス供給装置９１と、排気装置９２と、搬送装置７５と、制御部９０と、を備える。
【００１２】
処理室１０は、ワークＷが配置されワークＷに成膜又はエッチングが行われる導電性の部材である。本実施形態では、処理室１０は、ワークＷを処理室１０内に搬入及び処理室１０内から搬出可能な開口部１５を有し下方に底を有する箱状の金属製の部材である。処理室１０には、処理室１０内にガス供給装置９１からガスを供給するための供給口１１と、処理室１０内を排気装置９２によって排気するための排気口１２と、電源部側絶縁体４０が挿入される挿入口１３とを備える。本実施形態において、処理室１０は、アースに接続されている。
【００１３】
搬送部８０は、保持部７１とワーク側導電体５０とワーク側絶縁体６０とを備える。搬送部８０は、処理室１０の＋Ｙ方向に位置しており、Ｙ方向に沿って移動可能である。搬送部８０は、成膜又はエッチング時にワークＷを−Ｙ方向に搬送して、処理室１０内にワークＷを搬送する。本実施形態では、−Ｙ方向を「搬送方向」とも呼ぶ。本実施形態では、搬送部８０は、さらに、絶縁体７７と、蓋７８と、シール部材７６と、を備える。
【００１４】
蓋７８は、−Ｙ方向に移動して処理室１０に接触したときに、処理室１０の開口部１５を覆うように形成された板状の導電性の部材である。蓋７８には、ワーク側絶縁体６０と接続された絶縁体７７が設けられている。また、蓋７８には、−Ｙ方向に移動したときに、処理室１０に接触して処理室１０内の気密を保つためのシール部材７６が−Ｙ方向側の面に設けられている。本実施形態では、シール部材７６は、オーリングを用いている。
【００１５】
保持部７１は、ワークＷを保持する導電性の部材である。本実施形態では、保持部７１の−Ｙ方向端部はフック形状を有しており、保持部７１は、このフック形状の部分をワークＷに設けられた孔に引っ掛けることによって、ワークＷを保持する。保持部７１は、ワーク側絶縁体６０内においてワーク側導電体５０と電気的に接続される。一方、保持部７１は、ワーク側絶縁体６０及び絶縁体７７によって蓋７８と絶縁されている。
【００１６】
搬送装置７５は、アクチュエータを備える装置である。本実施形態では、搬送部８０は、搬送装置７５と接続されており、制御部９０（後述）が搬送装置７５のアクチュエータを制御することによってＹ方向に沿って移動可能である。
【００１７】
なお、本実施形態では、処理装置１００は、処理室１０の＋Ｙ方向に予備室２００を備える。予備室２００は、真空ポンプと、ヒータと、扉と、を備える。ワークＷは、扉から予備室２００に搬入されて保持部７１に保持される。予備室２００では、処理室１０で成膜又はエッチングが行われる前に、真空状態においてヒータによってワークＷが加熱されることで、ワークＷに付着した水分や有機物が除去される。本実施形態では、搬送部８０は、−Ｙ方向に移動したときにワークＷを予備室２００から処理室１０内へ搬送し、＋Ｙ方向に移動したときにワークＷを処理室１０から予備室２００へ搬送する。
【００１８】
ガス供給装置９１は、供給口１１を介して、処理室１０内にキャリアガス及び原料ガスを供給する。本実施形態では、ガス供給装置９１は、キャリアガスとして例えば窒素（Ｎ２）ガスやアルゴン（Ａｒ）ガスを供給し、原料ガスとして例えばピリジン（Ｃ５Ｈ５Ｎ）ガスを供給する。また、ガス供給装置９１は、エッチングガスとしてアルゴンガスを供給することも可能である。
【００１９】
排気装置９２は、排気口１２を介して処理室１０内のガスを排気可能な装置である。排気装置９２は、例えば、ロータリポンプや拡散ポンプ、ターボ分子ポンプ等により構成される。排気装置９２は、成膜又はエッチングが行われる前に、排気口１２を介して処理室１０内を排気し真空化する。
【００２０】
電源部２０は、処理室１０外に設けられた装置である。電源部２０は、電源部側導電体３０に電力を印加し、処理室１０内に供給された原料ガス等をプラズマ化する。本実施形態では、電源部２０は、成膜又はエッチング時に、電源部側導電体３０に−３ｋＶの電力を印加する。電源部側導電体３０に印加された電力は、電源部側導電体３０、ワーク側導電体５０及び保持部７１を介して、ワークＷに印加される。
【００２１】
制御部９０は、処理装置１００全体の動作を制御する。制御部９０は、ＣＰＵとメモリーとを含む。ＣＰＵは、メモリーに格納されたプログラムを実行することによって、処理装置１００の制御を行う。このプログラムは、各種記録媒体に記録されていてもよい。本実施形態では、制御部９０は、搬送装置７５を制御して搬送部８０を−Ｙ方向に移動させることによって処理室１０内に保持部７１、ワーク側導電体５０、ワーク側絶縁体６０及びワークＷを搬入させるとともに、蓋７８（シール部材７６）を処理室１０に接触させて処理室１０内の気密を保つ。また、制御部９０は、排気装置９２を制御して処理室１０内を排気させ、ガス供給装置９１を制御して処理室１０内に原料ガス等を供給させ、電源部２０を制御して電源部側導電体３０、ワーク側導電体５０及び保持部７１を介してワークＷに電力を印加させる。
【００２２】
以下、処理装置１００の部分拡大断面図を用いて、ワーク側導電体５０、ワーク側絶縁体６０、電源部側導電体３０、電源部側絶縁体４０及びカバー体１１０について、図２及び図３を用いて詳細に説明する。
【００２３】
図２は、処理装置１００の部分拡大断面図である。図３は、ワーク側導電体５０と電源部側導電体３０とが接続された状態を示す部分拡大断面図である。図２及び図３には、保持部７１に保持されたワークＷが簡略化して示されている。ワークＷは、電源部側絶縁体４０の−Ｘ方向に位置している。
【００２４】
ワーク側導電体５０は、保持部７１（図１）に電気的に接続された導電性の部材である。ワーク側導電体５０の端部５１は−Ｙ方向を向く。本実施形態では、ワーク側導電体５０は、第１導電体５７と第１導電体５７の−Ｙ方向側の内部に配置された第２導電体５５とバネ５３とにより構成されている。第１導電体５７の−Ｙ方向側と第２導電体５５とは、Ｙ方向に沿って延びる略棒形状を有している。第１導電体５７の＋Ｙ方向側は、保持部７１から分岐して形成されておりワークＷと電気的に接続されている。第２導電体５５は、第１導電体５７と電気的に接続されている。バネ５３は導電性を有しており、第２導電体５５が電源部側導電体３０に接触したときの衝撃を吸収する。
【００２５】
ワーク側絶縁体６０は、ワーク側導電体５０及び保持部７１（図１）を覆う部材である。ワーク側絶縁体６０からは、保持部７１のフック形状部分が露出している（図１）。また、ワーク側絶縁体６０は、−Ｙ方向の端部において開口した開口部６１を備えている。開口部６１からは、ワーク側導電体５０の−Ｙ方向の端部５１が−Ｙ方向に露出している。
【００２６】
電源部側導電体３０は、処理室１０内に少なくとも一部が設けられ、電力が印加される導電性の部材である。電源部側導電体３０は、＋Ｙ方向の面である上面３１を有する。本実施形態では、電源部側導電体３０は、先端部３２と本体部３４とを有し、成膜又はエッチング時には、処理室１０外の電源部２０から本体部３４に電力が印加される。
【００２７】
電源部側絶縁体４０は、処理室１０内において電源部側導電体３０を覆い、処理室１０内の電源部側導電体３０とワーク側導電体５０とが接続される箇所に開口部４１を有する絶縁体である。本実施形態では、開口部４１は、電源部側導電体３０の先端部３２の上面３１において開口する。本実施形態では、電源部側絶縁体４０は、開口部４１を備える第１絶縁体４３と、電源部側導電体３０の本体部３４を覆う第２絶縁体４４とが接続されて構成されている。第１絶縁体４３は、＋Ｙ方向の端部と＋Ｘ方向の端部とを備え、ＸＹ断面においてＬ字型の断面形状を有する筒状の絶縁体である。第２絶縁体４４は、Ｘ方向に沿って延びる筒状の絶縁体である。第１絶縁体４３の＋Ｙ方向の端部には開口部４１が設けられており、第１絶縁体４３の＋Ｘ方向の端部には、第２絶縁体４４の−Ｘ方向の端部が嵌め込まれる。第１絶縁体４３は、ワークＷと向かい合う第１部位４０ａを有する。本実施形態では、第１部位４０ａは、ワーク側導電体５０（端部５１）が電源部側導電体３０（上面３１）に開口部４１を通じて接触したときに（図３）、処理室１０内に位置するワークＷと向かい合う。本実施形態では、第１部位４０ａは、第１絶縁体４３のＹ方向に沿った部位であって図２及び図３に示す−Ｘ方向の部位である。第１絶縁体４３及び第２絶縁体４４は、処理室１０内のワークＷから離れる方向に延びる第２部位４０ｂを有する。本実施形態では、第２部位４０ｂは、第１絶縁体４３及び第２絶縁体４４のＸ方向に沿った部位であって、＋Ｘ方向に延びる部位である。本実施形態では、第２部位４０ｂは、第１部位４０ａに接続されている。
【００２８】
第１絶縁体４３、第２絶縁体４４、ワーク側絶縁体６０及び絶縁体７７は、例えば、アルミナ（Ａｌ２Ｏ３）や二酸化ケイ素（ＳｉＯ２）等のセラミックスで形成することができる。なお、搬送部８０に搬送方向に交差する方向の搬送ズレが生じた場合に、ワーク側絶縁体６０と電源部側絶縁体４０とが接触してワーク側絶縁体６０と電源部側絶縁体４０が破損することを抑制する観点から、電源部側絶縁体４０の開口部４１部分の絶縁体（第１絶縁体４３）は、ワーク側絶縁体６０よりも硬度の低い材料で形成されていることが好ましい。例えば、第１絶縁体４３は、ポリテトラフルオロエチレン（ＰＴＦＥ）やポリフルオロエチレン（ＰＦＡ）等のフッ素系樹脂で形成されることが好ましい。本実施形態では、第１絶縁体４３はＰＴＦＥにより形成され、第２絶縁体４４、ワーク側絶縁体６０及び絶縁体７７はアルミナにより形成されている。
【００２９】
カバー体１１０は、処理室１０内において電源部側絶縁体４０の少なくとも一部を覆い、開口部４１に対応する箇所が開口した開口部１１１を備える金属製の部材である。カバー体１１０は、電源部側絶縁体４０の熱を放出する放熱部材である。図２及び図３に示すように、カバー体１１０は、第１部位４０ａとの間に隙間を設けつつ、第２部位４０ｂにおいて電源部側絶縁体４０と接触する。本実施形態では、カバー体１１０は、第１部位４０ａを有する第１絶縁体４３との間に隙間を設けつつ、第２部位４０ｂを有する第２絶縁体４４と接触する。カバー体１１０と第１部位４０ａとの隙間は、成膜又はエッチング時に処理室１０が真空化されたときに、第１絶縁体４３とカバー体１１０との間の真空層として機能する。カバー体１１０は、例えば、ステンレス鋼により形成することができる。
【００３０】
処理装置１００では、図３に示すように搬送部８０が−Ｙ方向に移動して、ワーク側導電体５０が電源部側導電体３０に開口部４１を通じて接触することで、電源部側導電体３０に印加される電力が５０及び保持部７１を介してワークＷに印加される。図３に示すように、ワーク側絶縁体６０の−Ｙ方向の端部は、ワーク側導電体５０が電源部側導電体３０の上面３１に開口部４１を通じて接触したときに、開口部４１の内側に位置する。なお、本実施形態では、蓋７８（シール部材７６）が処理室１０に接触したときに、ワーク側導電体５０の端部５１が電源部側導電体３０の先端部３２の上面３１に接触するように、各部の寸法が設定されている。
【００３１】
図３には、さらに、幅Ｗ１、幅Ｗ２及びＷ３と、距離Ｌ１、距離Ｌ２及び距離Ｌ３とが示されている。本実施形態では、電源部側絶縁体４０（第１絶縁体４３）とワーク側絶縁体６０との間には幅Ｗ１の隙間が設けられている。幅Ｗ１の隙間は、搬送部８０が−Ｙ方向に移動したときに、ワーク側絶縁体６０と電源部側絶縁体４０とが接触してワーク側絶縁体６０又は電源部側絶縁体４０が破損（磨耗）することを抑制する。幅Ｗ１は１．５ｍｍ以下である。また、幅Ｗ１の隙間部分のＹ方向に沿った距離Ｌ１は約３．０ｍｍ以上である。このようにすることで、幅Ｗ１の隙間にプラズマが侵入することが抑制され、ワーク側絶縁体６０とワーク側導電体５０が接触する箇所や、電源部側導電体３０と電源部側絶縁体４０が接触する箇所にプラズマが侵入することが抑制される。また、処理室１０内で発生した絶縁性の異物が、開口部４１内に落下した場合であっても、異物と電源部側導電体３０との接触する箇所にプラズマが侵入することが抑制される。その結果、これらの箇所において異常放電が発生することが抑制される。また、本実施形態では、ワーク側絶縁体６０とワーク側導電体５０（第１導電体５７）との間には幅Ｗ２の隙間が設けられている。幅Ｗ２は０ｍｍより大きく１．５ｍｍ以下である。また、幅Ｗ２の隙間部分のＹ方向に沿った距離Ｌ２は約３．０ｍｍ以上である。このようにすることで、仮に幅Ｗ１の隙間部分にプラズマが侵入した場合であっても、ワーク側絶縁体６０とワーク側導電体５０（第１導電体５７）との接触する箇所にまでプラズマが侵入することが抑制されるので、ワーク側絶縁体６０とワーク側導電体５０とが接触する箇所において異常放電が発生することがより抑制される。さらに、本実施形態では、第１絶縁体４３及び第２絶縁体４４と電源部側導電体３０との間には幅Ｗ３の隙間が設けられている。幅Ｗ３は０ｍｍより大きく１．５ｍｍ以下である。また、幅Ｗ３の隙間部分のＸ方向に沿った距離Ｌ３は約３．０ｍｍ以上である。このようにすることで、仮に幅Ｗ１の隙間部分にプラズマが侵入した場合であっても、電源部側導電体３０と電源部側絶縁体４０との接触する箇所にまでプラズマが侵入することが抑制されるので、電源部側導電体３０と電源部側絶縁体４０とが接触する箇所において異常放電が発生することがより抑制される。なお、上記の値は一例であり、幅Ｗ１、幅Ｗ２及び幅Ｗ３と、距離Ｌ１、距離Ｌ２及び距離Ｌ３の値は、上述のプラズマの侵入が抑制可能な幅及び距離（寸法）に設定されていればよい。
【００３２】
以上で説明した処理装置１００では、搬送部８０の保持部７１にワークＷが保持されると、制御部９０は搬送装置７５を制御して搬送部８０を−Ｙ方向に移動させ、ワーク側導電体５０を電源部側導電体３０の上面３１に開口部４１を通じて接触させるとともに、蓋７８（シール部材７６）を処理室１０に接触させる。次に、制御部９０は、排気装置９２を制御して処理室１０内を排気して真空化させ、ガス供給装置９１を制御して処理室１０内に原料ガス又はエッチングガスを供給させ、電源部２０を制御して電源部側導電体３０、ワーク側導電体５０及び保持部７１を介してワークＷに電力を印加させて成膜又はエッチングを行う。制御部９０は、ガス供給装置９１を制御して原料ガス等の供給を停止させ、電源部２０を制御して電力の印加を停止させて成膜又はエッチングを終了する。次に制御部９０は、排気装置９２を制御して処理室１０内の圧力を復圧させ、搬送装置７５を制御して搬送部８０を＋Ｙ方向に移動させワーク側導電体５０を上面３１から離間させてワーク側導電体及びワークＷを処理室１０外に搬送させる。以上のようにして、処理装置１００による成膜又はエッチングが行われる。
【００３３】
以上で説明した本実施形態の処理装置１００による効果を図を用いて説明する。
図４は、比較例の処理装置３００を示す図である。処理装置３００は、電源部側絶縁体４０を覆うカバー体１１０を備えていない。処理装置３００のその他の構成は、実施形態の処理装置１００と同様である。成膜又はエッチング時には、ワークＷに電力が印加されて処理室１０内ではワークＷに対して放射状にプラズマが発生するとともにワークＷから輻射熱が発生するため、−Ｘ方向に位置するワークＷと向かい合う第１部位４０ａを有する電源部側絶縁体４０の温度が上昇する。絶縁体は金属に比べて放熱しにくいため、成膜又はエッチング後においても電源部側絶縁体４０の温度は低下しにくく、成膜又はエッチングが繰り返されると電源部側絶縁体４０が蓄熱して図４に示すように電源部側絶縁体４０のワークＷと向かい合う第１部位４０ａが変形するおそれがある。このような変形が生じると、図４に示すように、ワーク側導電体５０が電源部側絶縁体４０の＋Ｙ方向端部に接触してワーク側導電体５０が電源部側導電体３０に到達することが妨げられる場合がある。このような場合には、ワーク側導電体５０と電源部側導電体３０との間に導通不良が発生し、ワークＷに電力が印加されないおそれがある。
【００３４】
本実施形態の処理装置１００では、カバー体１１０は、電源部側絶縁体４０のワークＷと向かい合う第１部位４０ａとの間に隙間を設けつつ電源部側絶縁体４０を覆うので、成膜又はエッチング時に第１部位４０ａの温度が上昇することを抑制することができるとともに、カバー体１１０はワークＷから離れる方向に延びる第２部位４０ｂにおいて電源部側絶縁体４０と接触するので、成膜又はエッチング時に接触する箇所の温度が上昇することを抑制することができ、電源部側絶縁体４０の温度が上昇することを抑制することができる。また、カバー体１１０は金属製であるため、成膜又はエッチング後に電源部側絶縁体４０に蓄積された熱を接触箇所を介してカバー体１１０から放出することができる。その結果、電源部側絶縁体４０の蓄熱が抑制されるので、電源部側絶縁体４０が変形することを抑制することができる。
【００３５】
また、本実施形態の処理装置１００では、電源部側絶縁体４０が変形することを抑制することができるので、ワーク側導電体５０と電源部側導電体３０との間の導通不良を抑制することができる。
【００３６】
また、例えば、ワーク側絶縁体６０がアルミナやシリカ等により形成され、第１部位４０ａを有する第１絶縁体４３がＰＴＦＥにより形成されている場合、図４に示すような電源部側絶縁体４０の変形がより生じやすい。ＰＴＦＥはアルミナやシリカ等に比べて硬度が低く、分解温度も低いためである。しかし、本実施形態の処理装置１００では、第１部位４０ａの温度が上昇することを抑制することができるため、第１部位４０ａを例えばＰＴＦＥ等、ワーク側絶縁体６０よりも硬度の低い材料で形成することができ、搬送部８０に搬送方向に交差する方向の搬送ズレが生じた場合であっても、電源部側絶縁体４０とワーク側絶縁体６０とが接触して破損することを抑制することができる。
【００３７】
また、本実施形態の処理装置１００では、カバー体１１０は、比較的融点の高いアルミナで形成された第２絶縁体４４において電源部側絶縁体４０と接触するため、成膜又はエッチング時においてカバー体１１０から第２絶縁体４４へ熱が伝導されて電源部側絶縁体４０が変形することを抑制することができる。
【００３８】
Ｂ．変形例：
上述の実施形態において、Ｙ方向が鉛直方向であり、Ｘ方向及びＺ方向が水平方向である。これに対し、Ｘ方向が鉛直方向であってもよいし、Ｚ方向が鉛直方向であってもよい。すなわち、搬送部８０は、水平方向に沿って移動可能であってもよい。
【００３９】
上述の実施形態において、カバー体１１０は第２絶縁体４４と接触している。これに対し、カバー体１１０は、第１絶縁体４３の第２部位４０ｂにおいて第１絶縁体４３と接触していてもよい。また、カバー体１１０は、第１絶縁体４３のワークＷと向かい合わない部位（図２、図３に示す第１絶縁体４３の＋Ｘ方向の部位）において第１絶縁体４３と接触していてもよい。
【００４０】
上述の実施形態において、カバー体１１０は他の金属により形成されてもよい。例えば、カバー体１１０は、ワークＷと同じ材質により形成されていてもよく、例えばワークＷがチタン（Ｔｉ）である場合には、カバー体１１０はチタンにより形成されてもよい。
【００４１】
上述の実施形態において、保持部７１の−Ｙ方向端部はフック形状を有している。これに対し、保持部７１の−Ｙ方向端部は、ワークＷを保持可能な形状であれば、他の形状であってもよく、例えば、クリップ形状であってもよい。
【００４２】
上述の実施形態において、電源部２０は、電源部側導電体３０に電力を印加しており、処理室１０はアースに接続されている。これに対し、電源部２０は、電源部側導電体３０及び処理室１０に電力を印加して処理室１０内にプラズマを発生させるための電場を生成してもよい。
【００４３】
本発明は、上述の実施形態や変形例に限られるものではなく、その趣旨を逸脱しない範囲において種々の構成で実現することができる。例えば、発明の概要の欄に記載した各形態中の技術的特徴に対応する実施形態や変形例中の技術的特徴は、上述の課題の一部又は全部を解決するために、あるいは、上述の効果の一部又は全部を達成するために、適宜、差し替えや、組合せを行うことが可能である。また、前述した実施形態及び各変形例における構成要素の中の、独立請求項で記載された要素以外の要素は、付加的な要素であり、適宜省略可能である。
【符号の説明】
【００４４】
１０…処理室
１１…供給口
１２…排気口
１３…挿入口
１５…開口部
２０…電源部
３０…電源部側導電体
３１…上面
３２…先端部
３４…本体部
４０…電源部側絶縁体
４０ａ…第１部位
４０ｂ…第２部位
４１…開口部
４３…第１絶縁体
４４…第２絶縁体
５０…ワーク側導電体
５１…端部
５３…バネ
５５…第２導電体
５７…第１導電体
６０…ワーク側絶縁体
６１…開口部
７１…保持部
７５…搬送装置
７６…シール部材
７７…絶縁体
７８…蓋
８０…搬送部
９０…制御部
９１…ガス供給装置
９２…排気装置
１００…処理装置
１１０…カバー体
１１１…開口部
２００…予備室
３００…処理装置
Ｌ１…距離
Ｌ２…距離
Ｌ３…距離
Ｗ…ワーク
Ｗ１…幅
Ｗ２…幅
Ｗ３…幅
【図１】
2018048365.tif 000003
【図２】
2018048365.tif 000004
【図３】
2018048365.tif 000005
【図４】
2018048365.tif 000006